(57)【要約】【課題】電力管理を容易にする。【解決手段】分電盤内の配線用遮断器２０、及びコンセント３０（又は３２）と機器との間に接続されるアダプタ５０（又は５２）は、設置場所での消費電力を計測し、計測した消費電力を電力管理装置４０に送信する。電力管理装置４０は、配線用遮断器２０及びアダプタ５０（又は５２）から送信された消費電力を記録し、記録した消費電力を表示する。管理者は、この表示を見て、電力管理装置４０での操作によって配線用遮断器２０及びアダプタ５０（又は５２）における電力供給を制御する。【選択図】図１
2010213411.tif 000002
【特許請求の範囲】
【請求項１】
電力管理装置を含む電力管理システムであって、
分電盤内の電力線における消費電力を計測する分電盤内計測手段と、
前記分電盤内計測手段により計測された消費電力を、この計測位置を識別する識別情報に対応付けて、前記電力管理装置に送信する分電盤内送信手段と、
前記分電盤から電力の供給を受ける電源コンセントにおける消費電力を計測するコンセント側計測手段と、
前記コンセント側計測手段により計測された消費電力を、この計測位置を識別する識別情報に対応付けて、前記電力管理装置に送信するコンセント側送信手段と、
前記分電盤内送信手段及び前記コンセント側送信手段から受信した消費電力及び識別情報に基づいて、分電盤内の各計測位置における消費電力と、各電源コンセントにおける消費電力とを互いに区別できる態様で表示する電力管理装置と
を有する電力管理システム。
【請求項２】
前記電力管理装置からの指示に応じて、前記分電盤内の電力線における電力供給を制御する分電盤内電力制御手段と、
前記電力管理装置からの指示に応じて、前記電源コンセントにおける電力供給を制御するコンセント側電力制御手段と
をさらに有し、
前記電力管理装置は、前記分電盤内電力制御手段による制御状況と、前記コンセント側電力制御手段による制御状況と、前記分電盤内送信手段から受信した消費電力と、前記コンセント側送信手段から受信した消費電力とを、少なくとも同一時間帯における制御状況及び消費電力が対比可能な態様で表示する
請求項１に記載の電力管理システム。
【請求項３】
前記電力管理装置は、予め設定されたスケジュールに基づいて、前記分電盤内電力制御手段又は前記コンセント側電力制御手段に対して、電力供給の許可又は禁止を指示する
請求項２に記載の電力管理システム。
【請求項４】
前記電力管理装置は、
前記分電盤内送信手段から受信した消費電力及び識別情報と、前記コンセント側送信手段から受信した消費電力及び識別情報とに基づいて、分電盤における分岐回路と、電源コンセントとの接続関係を推定する電気配線推定手段
を有する
請求項１に記載の電力管理システム。
【請求項５】
前記電気配線推定手段は、前記分電盤内電力制御手段による制御状況と、前記コンセント側電力制御手段による制御状況と、前記分電盤内送信手段から受信した消費電力と、前記コンセント側送信手段から受信した消費電力とに基づいて、前記接続関係を推定する
請求項４に記載の電力管理システム。
【請求項６】
前記電力管理装置は、
前記コンセント側送信手段から受信した消費電力の変化状況に基づいて、各識別情報に対応する電源コンセントに接続された機器を推定する機器推定手段を
さらに有する
請求項１に記載の電力管理システム。
【請求項７】
前記分電盤内計測手段、前記分電盤内送信手段、前記コンセント側計測手段、及び前記コンセント側送信手段は、
電力線からの電力供給がない場合、電力源を電池に切り替えて動作する
請求項１に記載の電力管理システム。
【請求項８】
分電盤内に設けられた分電盤内装置と、電源コンセントに接続されるコンセント側装置と、電力管理装置とを用いた電力管理方法であって、
前記分電盤内装置が、分電盤内の電力線における消費電力を計測するステップと、
前記分電盤内装置が、前記計測された消費電力を、この計測位置を識別する識別情報に対応付けて、前記電力管理装置に送信するステップと、
前記コンセント側装置が、前記分電盤から電力の供給を受ける電源コンセントにおける消費電力を計測するステップと、
前記コンセント側装置が、前記計測された消費電力を、この計測位置を識別する識別情報に対応付けて、前記電力管理装置に送信するステップと、
前記電力管理装置が、前記分電盤内装置及び前記コンセント側装置から受信した消費電力及び識別情報に基づいて、分電盤内の各計測位置における消費電力と、各電源コンセントにおける消費電力とを互いに区別できる態様で表示するステップと
を有する電力管理方法。
【発明の詳細な説明】
【技術分野】
【０００１】
本発明は、電力管理システムに関する。
【背景技術】
【０００２】
例えば、特許文献１には、電源コンセントと機器の間に接続された電力制御装置が機器の消費電力量を計測し、この計測した消費電力量を電灯線通信を介してコントロール装置に送信し、操作者は、コントロール装置にて電力制御装置から送信された消費電力量を見て各機器に対する電力供給の制御を行う技術が開示されている。
【先行技術文献】
【特許文献】
【０００３】
【特許文献１】特開２００３−８８００４号公報
【発明の概要】
【発明が解決しようとする課題】
【０００４】
本発明は、上述した背景からなされたものであり、電力管理を容易にすることを目的とする。
【課題を解決するための手段】
【０００５】
上記目的を達成するために、本発明に係る電力管理システムは、電力管理装置を含む電力管理システムであって、分電盤内の電力線における消費電力を計測する分電盤内計測手段と、前記分電盤内計測手段により計測された消費電力を、この計測位置を識別する識別情報に対応付けて、前記電力管理装置に送信する分電盤内送信手段と、前記分電盤から電力の供給を受ける電源コンセントにおける消費電力を計測するコンセント側計測手段と、前記コンセント側計測手段により計測された消費電力を、この計測位置を識別する識別情報に対応付けて、前記電力管理装置に送信するコンセント側送信手段と、前記分電盤内送信手段及び前記コンセント側送信手段から受信した消費電力及び識別情報に基づいて、分電盤内の各計測位置における消費電力と、各電源コンセントにおける消費電力とを互いに区別できる態様で表示する電力管理装置とを有する。
【０００６】
好適には、前記電力管理装置からの指示に応じて、前記分電盤内の電力線における電力供給を制御する分電盤内電力制御手段と、前記電力管理装置からの指示に応じて、前記電源コンセントにおける電力供給を制御するコンセント側電力制御手段とをさらに有し、前記電力管理装置は、前記分電盤内電力制御手段による制御状況と、前記コンセント側電力制御手段による制御状況と、前記分電盤内送信手段から受信した消費電力と、前記コンセント側送信手段から受信した消費電力とを、少なくとも同一時間帯における制御状況及び消費電力が対比可能な態様で表示する。
【０００７】
好適には、前記電力管理装置は、予め設定されたスケジュールに基づいて、前記分電盤内電力制御手段又は前記コンセント側電力制御手段に対して、電力供給の許可又は禁止を指示する。
【０００８】
好適には、前記電力管理装置は、前記分電盤内送信手段から受信した消費電力及び識別情報と、前記コンセント側送信手段から受信した消費電力及び識別情報とに基づいて、分電盤における分岐回路と、電源コンセントとの接続関係を推定する電気配線推定手段を有する。
【０００９】
好適には、前記電気配線推定手段は、前記分電盤内電力制御手段による制御状況と、前記コンセント側電力制御手段による制御状況と、前記分電盤内送信手段から受信した消費電力と、前記コンセント側送信手段から受信した消費電力とに基づいて、前記接続関係を推定する。
【００１０】
好適には、前記電力管理装置は、前記コンセント側送信手段から受信した消費電力の変化状況に基づいて、各識別情報に対応する電源コンセントに接続された機器を推定する機器推定手段をさらに有する。
【００１１】
好適には、前記分電盤内計測手段、前記分電盤内送信手段、前記コンセント側計測手段、及び前記コンセント側送信手段は、電力線からの電力供給がない場合、電力源を電池に切り替えて動作する。
【００１２】
また、本発明に係る電力管理方法は、分電盤内に設けられた分電盤内装置と、電源コンセントに接続されるコンセント側装置と、電力管理装置とを用いた電力管理方法であって、前記分電盤内装置が、分電盤内の電力線における消費電力を計測するステップと、前記分電盤内装置が、前記計測された消費電力を、この計測位置を識別する識別情報に対応付けて、前記電力管理装置に送信するステップと、前記コンセント側装置が、前記分電盤から電力の供給を受ける電源コンセントにおける消費電力を計測するステップと、前記コンセント側装置が、前記計測された消費電力を、この計測位置を識別する識別情報に対応付けて、前記電力管理装置に送信するステップと、前記電力管理装置が、前記分電盤内装置及び前記コンセント側装置から受信した消費電力及び識別情報に基づいて、分電盤内の各計測位置における消費電力と、各電源コンセントにおける消費電力とを互いに区別できる態様で表示するステップとを有する。
【発明の効果】
【００１３】
本発明によれば、電力管理を容易にすることができる。
【図面の簡単な説明】
【００１４】
【図１】実施例１における電力管理システム１の全体構成を例示する図である。
【図２】実施例１における電力管理システム１の分電盤内機能モジュール１００、配線用遮断器内機能モジュール１０２、及びアダプタ内機能モジュール１０４を例示する図である。
【図３】実施例１における電力管理システム１の電力管理装置内機能モジュール１０６を例示する図である。
【図４】記録ＤＢ１２８を例示する図である。
【図５】スケジュールＤＢ１３８を例示する図である。
【図６】電力管理装置４０の表示画面２００を例示する図である。
【図７】実施例２における電力管理装置内機能モジュール２０６を例示する図である。
【図８】実施例２における記録ＤＢ２２８を例示する図である。
【図９】配線推定部２４０の動作（Ｓ１０）を例示するフローチャートである。
【図１０】実施例３における電力管理装置内機能モジュール３０６を例示する図である。
【図１１】実施例３における記録ＤＢ３２８を例示する図である。
【図１２】パターンＤＢ３４４を例示する図である。
【発明を実施するための形態】
【実施例１】
【００１５】
図１は、実施例１における電力管理システム１の全体構成を例示する図である。
図１に例示するように、電力管理システム１は、分電盤１０内の配線用遮断器２０と、アダプタ５０及び照明用アダプタ５２と、電力管理装置４０とを含む。
【００１６】
分電盤１０内において、配線用遮断器２０は、電力線９０が各コンセント３０及び照明用コンセント３２の電源に配線されるために分岐した後に設置され、スイッチ操作によって配線用遮断器２０から先の電源への電力供給を制御する。
【００１７】
アダプタ５０は、差し込みプラグとソケットとを備えており、差し込みプラグによってコンセント３０に接続され、ソケットには家電機器６０が接続される。同様に、照明用アダプタ５２も、差し込みプラグとソケットを備えており、差し込みプラグによって照明用コンセント３２に接続され、ソケットには照明器具５２が接続される。
家電機器６０及び照明器具６２は、アダプタ５０及び照明用アダプタ５２（以降、「アダプタ５０（及び５２）」と呼ぶ）を介してコンセント３９及び照明用コンセント３２からそれぞれ電力が供給される。
なお、家電機器６０及び照明器具６２は、機器の一例である。機器は、電気によって動作するものであれば良く、例えば、他に設備機器又は機械などであってもよい。
【００１８】
電力管理装置４０は、コンセント３０に接続され、配線用遮断器２０と、アダプタ５０（及び５２）と通信することができる。
なお、通信には、例えば、電力線９０を利用した電灯線通信（「ＰＬＣ：Power Line Communication」とも言う）を用いてもよいし、電力線９０とは別に、電力管理装置４０、配線用遮断機２０、及びアダプタ５０（及び５２）を有線若しくは無線のＬＡＮ（Local Area Network）で接続したＩＰネットワークを用いてもよい。
【００１９】
以上のような構成で、配線用遮断器２０、及びアダプタ５０（及び５２）は、設置場所における消費電力を計測し、計測した消費電力を電力管理装置４０に送信する。
電力管理装置４０は、送信された消費電力を記録し、記録した消費電力を表示する。
そして、管理者は、電力管理装置４０に表示された消費電力に基づいて、電力管理装置４０における操作によって配線用遮断器２０から先へ、又はアダプタ５０若しくは照明用アダプタ５２から機器への電力供給を制御する。
【００２０】
このような構成により、各機器での消費電力だけでなく、分電盤１０内の配線用遮断器２０での消費電力も可視化されることで、管理者は、機器単位での電力管理だけでなく、各配線用遮断器２０から先につながる複数のコンセント３０又は照明用コンセント３２をひとまとめにして電力管理することも可能となる。
【００２１】
図２は、実施例１における電力管理システム１の分電盤内機能モジュール１００、配線用遮断器内機能モジュール１０２、及びアダプタ内機能モジュール１０４を例示する図である。
図２に例示するように、分電盤内機能モジュール１００は、分電盤１０で動作し、配線用遮断器内機能モジュール１０２は、分電盤１０内にある配線用遮断機２０で動作し、アダプタ内機能モジュール１０４は、アダプタ５０又は照明用アダプタ５２で動作する。
また、分電盤内機能モジュール１００は、通信部１１２を有し、配線用遮断器内機能モジュール１０２は、電力計測部１１４及び電力遮断制御部１１６を有し、アダプタ内機能モジュール１０４は、通信部１１８、電力計測部１２０、及び電力遮断制御部１２２を有する。
なお、分電盤内機能モジュール１００、配線用遮断器内機能モジュール１０２、及びアダプタ内機能モジュール１０４は、ハードウェア、又はハードウェアとソフトウェアの組み合わせによって実現される。
【００２２】
通信部１１２は、配線用遮断器２０から受信した情報を電力管理装置４０に送信したり、電力管理装置４０から受信した情報を配線用遮断器２０に送信することで、配線用遮断器２０と電力管理装置４０との間の通信を実現する。
なお、通信は、前述した電灯線通信又はＩＰネットワーク上などで行われる。
【００２３】
電力計測部１１４は、電流センサなどによって配線用遮断器２０における電流を検出し、単位時間ごとに検出した電流と電力線９０の電圧から消費電力を計測する。計測された消費電力は、配線用遮断機２０の装置ＩＤと共に、単位時間ごとに通信部１１２を介して電力管理装置４０に送信される。
なお、装置ＩＤは、あらかじめ配線用遮断器２０が備える記憶媒体（ＲＯＭなど）に記録されている情報であり、他の配線用遮断器２０、アダプタ５０（及び５２）に与えられる装置ＩＤと重複することがないものとする。
【００２４】
電力遮断制御部１１６は、電力管理装置４０から通信部１１２を介して送信された電力供給の指示を受信すると、電力供給の指示に基づいて配線用遮断器２０から先への電力供給のＯＮ／ＯＦＦの制御を行う。
【００２５】
通信部１１８は、電力計測部１２０から受信した情報を電力管理装置４０に送信したり、電力管理装置４０から受信した情報を電力遮断制御部１２２に送信することで、アダプタ５０又は照明用アダプタ５２（以降、「アダプタ（又は５２）」と呼ぶ）と電力管理装置４０との間の通信を実現する。
なお、通信は、前述した電灯線通信又はＩＰネットワーク上などで行われる。
【００２６】
電力計測部１２０は、電流センサなどによってアダプタ５０（又は５２）における電流を検出し、単位時間ごとに検出した電流と電力線９０の電圧から消費電力を計測する。計測された消費電力は、アダプタ５０（又は５２）の装置ＩＤと共に、単位時間ごとに通信部１１８を介して電力管理装置４０に送信される。
なお、装置ＩＤは、あらかじめアダプタ５０（又は５２）が備える記憶媒体に記録されている情報であり、他の配線用遮断器２０、アダプタ５０（及び５２）に与えられる装置ＩＤと重複することがないものとする。
【００２７】
電力遮断制御部１２２は、電力管理装置４０から通信部１１８を介して送信された電力供給の指示を受信すると、電力供給の指示に基づいてアダプタ５０（又は５２）から家電機器６０又は照明器具６２への電力供給のＯＮ／ＯＦＦの制御を行う。
【００２８】
図３は、実施例１における電力管理システム１の電力管理装置内機能モジュール１０６を例示する図である。
図３に例示するように、電力管理装置内機能モジュール１０６は、電力管理装置４０で動作する。
また、電力管理装置内機能モジュール１０６は、通信部１２４、記録部１２６、記録ＤＢ１２８、表示部１３０、入力部１３２、制御部１３４、スケジュール制御部１３６、及びスケジュールデータベース（スケジュールＤＢ）１３８を有する。
なお、電力管理装置内機能モジュール１０６は、ハードウェア、又はハードウェアとソフトウェアの組み合わせによって実現される。
【００２９】
通信部１２４は、制御部１３４又はスケジュール制御部１３６から受信した情報を分電盤１０、アダプタ５０、又は照明用アダプタ５２に送信したり、分電盤１０、アダプタ５０、又は照明用アダプタ５２から受信した情報を記録部１２６に送信することで、電力管理装置４０と分電盤１０、アダプタ５０、又は照明用アダプタ５２との間の通信を実現する。
なお、通信は、前述した電灯線通信又はＩＰネットワーク上などで行われる。
【００３０】
記録部１２６は、電力計測部１１４及び電力計測部１２０から送信される消費電力及び装置ＩＤを通信部１２４を介して受信し、受信した消費電力を同じく受信した装置ＩＤに関連付けて記録ＤＢ１２８に記録する。
【００３１】
記録ＤＢ１２８は、電力管理装置４０が備えるＲＡＭ(Random Access Memory)、ハードディスク、又はフラッシュメモリなどの記憶媒体に格納され、図４に例示するように、装置ＩＤと、日付と、単位時間ごとの消費電力（Ｗ）と、１日の総消費電力（ｋＷ）とを互い関連付けた情報を有する。
なお、１日の総消費電力（ｋＷ）は、２４時間分の消費電力が記録された時点で記録部１２６によって算出され記録される。また、総消費電力を算出する期間は、特に限定するものではなく、例えば、月単位、年単位など、ある一定の期間であればよい。
【００３２】
表示部１３０は、記録ＤＢ１２８を参照し、記録されている情報に基づいて、図６に例示するような配線用遮断器２０、アダプタ５０（及び５２）における消費電力を示す画面（電力管理装置４０の表示画面２００）を表示する。
【００３３】
電力管理装置４０の表示画面２００は、図６に例示するように、配線用遮断器２０の装置ＩＤを分電盤のグループに入れ、アダプタ５０（又は５２）の装置ＩＤをアダプタのグループに入れ、各装置ＩＤの下に配線用遮断器２０、アダプタ５０（又は５２）での消費電力を表示している。
また、配線用遮断器２０の装置ＩＤとアダプタ５０（又は５２）の装置ＩＤとの間の接続関係も表示している。なお、実施例１では、この接続関係は、あらかじめ記録ＤＢ２２８に記録されている。
そして、表示画面２００は、最下部に、全てのアダプタ５０及び照明用アダプタ５２における消費電力の合計である総消費電力を表示している。
なお、表示画面２００は、配線用遮断器２０、アダプタ５０（又は５２）における消費電力を表示する画面の一例であり、例えば、グラフ、表などを用いて表示してもよい。
【００３４】
入力部１３２は、管理者から、配線用遮断器２０、アダプタ５０（又は５２）のいずれかに対する電源供給をするか否かという指示の入力を受け付け、受け付けた入力に対応する装置ＩＤ及び電源供給のフラグ（０：しない、１：する）を制御部２３４に送信する。
なお、管理者から入力を受け付ける手段は、特に限定せず、例えば、タッチパネル、ボタン、スイッチなどであればよい。
【００３５】
制御部２３４は、入力部１３２から送信された装置ＩＤ及び電源供給のフラグを受信し、受信した装置ＩＤを持つ配線用遮断器２０、アダプタ５０（又は５２）に同じく受信した電源供給のフラグを通信部１２４を介して送信する。
【００３６】
スケジュール制御部１３６は、単位時間ごとにスケジュールＤＢ１３８から装置ＩＤ及びこの装置ＩＤに関連する現在時刻の電力供給のＯＮ／ＯＦＦを読み込み、読み込んだ装置ＩＤを持つ配線用遮断器２０、アダプタ５０（又は５２）に同じく読み込んだ電力供給のＯＮ／ＯＦＦに対応するフラグ（０：しない、１：する）を通信部１２４を介して送信する。
【００３７】
スケジュールＤＢ１３８は、電力管理装置４０が備えるＲＡＭ(Random Access Memory)、ハードディスク、又はフラッシュメモリなどの記憶媒体に格納され、図５に例示するように、装置ＩＤと、１日の各時間ごとの電力供給のＯＮ／ＯＦＦとを互い関連付けた情報を有する。
配線用遮断器２０又はアダプタ５０（又は５２）は、スケジュールＤＢ１３８の内容に従って、先の電源へ又は機器への電力供給を制御することになる。
なお、スケジュールＤＢ１３８は、管理者によってあらかじめ設定登録される。スケジュールＤＢ１３８の設定登録の手段は、特に限定するものではなく、例えば、電力管理装置４０上で設定登録させてもよいし、設定登録されたスケジュールＤＢ１３８を外部から記憶媒体又はネットワークを介して取り込ませるなどしてもよい。
【００３８】
本実施例における電力管理装置４０は、スケジュール制御部１３６及びスケジュールＤＢ１３８を有することで、あらかじめ動作する時間が決まっているような機器（例えば、照明器具など）への電力供給をスケジュールに従って確実に行えるようになる。
【実施例２】
【００３９】
図７は、実施例２における電力管理装置内機能モジュール２０６を例示する図である。
図７に例示するように、電力管理装置内機能モジュール２０６は、図３の電力管理装置内機能モジュール１０６に配置推定部２４０を追加し、第１の記録ＤＢ１２８、表示部１３０、及び制御部１３４を第２の記録ＤＢ２２８、表示部２３０、及び制御部２３４にそれぞれ置換した構成となっている。
なお、本図に示される各構成のうち、図３に示された構成と実質的に同一のものには同一の符号が付されている。
【００４０】
配線推定部２４０は、配線用遮断器２０とアダプタ５０（又は５２）との間の電力線９０の配線を推定するモジュールであり、図９に例示する動作に従って、配線用遮断器２０又はアダプタ５０（又は５２）の装置ＩＤと、配線推定の開始／終了のフラグ（０：開始、１：終了）又は電源供給のフラグ（０：しない、１：する）とを制御部２３４に送信する。
また、配線推定部２４０は、図９に例示する動作に従って、記録ＤＢ２２８を参照したり、推定した配線による配線用遮断器２０、アダプタ５０（及び５２）の接続関係を記録ＤＢ２２８に書き込む。
【００４１】
記録ＤＢ２２８は、図８に例示するように、図４の記録ＤＢ１２８に配線用遮断器２０、及びアダプタ５０（及び５２）の接続関係を示す配置を追加したものである。この配置の欄に、配線推定部２４０は、推定した配線による配線用遮断器２０、アダプタ５０（及び５２）の接続関係を書き込む。
なお、本実施例では、装置ＩＤ００１、００２、及び００３を持つ装置は、配線用遮断器２０であり、配線推定部２４０は、この装置ＩＤに関連する配置の欄に「分電盤内」と書き込む。また、装置ＩＤ１０１を持つ装置は、アダプタ５０（又は５２）であり、配線推定部２４０は、この装置ＩＤに関連する配置の欄に、装置ＩＤ００１の配線用遮断器２０に装置ＩＤ１０１のアダプタ５０（又は５２）が接続されていることが分かるように、「００１（配線用遮断器２０の装置ＩＤ）−１０１（アダプタ５０（又は５２）の装置ＩＤ）」と書き込む。
【００４２】
表示部２３０は、記録ＤＢ２２８の配置の欄の内容に従って、装置ＩＤ間の接続を表示する。
【００４３】
制御部２３４は、入力部１３２からの送信に対する処理以外に、配線推定部２４０から送信された装置ＩＤと、この装置ＩＤに関連する配線推定の開始／終了のフラグ（０：開始、１：終了）又は電源供給のフラグ（０：しない、１：する）とを受信し、受信した装置ＩＤを持つ配線用遮断器２０、又はアダプタ５０（又は５２）に、同じく受信した配線推定の開始／終了のフラグ又は電力供給のフラグを通信部１２４を介して送信する。
【００４４】
図９は、配線推定部２４０の動作（Ｓ１０）を例示するフローチャートである。
図９に例示するように、ステップ１００（Ｓ１００）において、配線推定部２４０は、全配線用遮断器２０及び全アダプタ５０（又は５２）に配線推定の開始を通知するため、制御部２３４に全装置の装置ＩＤ及びこの装置ＩＤに関連する配線推定の開始のフラグを送信する。
全配線用遮断器２０及び全アダプタ５０（又は５２）は、配線推定部２４０によって送信された配線推定の開始のフラグを受信すると、配線推定モードになる。
なお、ここで言う配線推定モードとは、全配線用遮断器２０及び全アダプタ５０（又は５２）が、消費電力を計測して、計測した消費電力を電力管理装置４０に送信する単位時間を短く（例えば、秒単位に）することである。
【００４５】
ステップ１０２（Ｓ１０２）において、配線推定部２４０は、全アダプタ５０（又は５２）における機器への電力供給を止めるため、制御部２３４に全アダプタ５０（又は５２）の装置ＩＤ及びこの装置ＩＤに関連する電力供給のフラグ（０：しない）を送信する。
【００４６】
ステップ１０４（Ｓ１０４）において、配線推定部２４０は、制御部２３４に装置ＩＤ及びこの装置ＩＤに関連する電力供給のフラグを送信することで、アダプタ５０（又は５２）から機器への電力供給を順番に１台ずつＯＮ（電力供給する）にしては、Ｓ１０６からＳ１１２までの処理を実行する。そして、配線推定部２４０が全てのアダプタ５０（又は５２）に対して同様の処理を行ったところで、Ｓ１０は、Ｓ１１４に移行する。
【００４７】
ステップ１０６（Ｓ１０６）において、配線推定部２４０は、記録ＤＢ２２８から各配線用遮断器２０の消費電力を参照する。
【００４８】
ステップ１０８（Ｓ１０８）において、配線推定部２４０は、記録ＤＢ２２８から各アダプタ５０（又は５２）の消費電力を参照する。
【００４９】
ステップ１１０（Ｓ１１０）において、配線推定部２４０は、Ｓ１０６で参照した各配線用遮断器２０の消費電力とＳ１０８で参照した各アダプタ５０（又は５２）の消費電力とを比較し、消費電力が一致する配線用遮断器２０とアダプタ５０（又は５２）は接続されていると推定する。
【００５０】
ステップ１１２（Ｓ１１２）において、配線推定部２４０は、Ｓ１１０で推定した配線用遮断器２０とアダプタ５０（又は５２）との接続関係を記録ＤＢ２２８に記録する。
【００５１】
ステップ１１４（Ｓ１１４）において、配線推定部２４０は、全配線用遮断器２０及び全アダプタ５０（又は５２）に配線推定の終了を通知するため、制御部２３４に全装置の装置ＩＤ及びこの装置ＩＤに関連する配線推定の終了のフラグを送信する。
全配線用遮断器２０及び全アダプタ５０（又は５２）は、配線推定部２４０によって送信された配線推定の終了のフラグを受信すると、通常モードになり、電力供給が配線推定モードになる以前の状態に戻る。
なお、ここで言う通常モードとは、全配線用遮断器２０及び全アダプタ５０（又は５２）が、消費電力を計測して、計測した消費電力を電力管理装置４０に送信する単位時間を長く（例えば、時間単位に）することである。
【００５２】
以上で説明した構成及び動作によって、管理者は、電力管理システム１における分電盤内の各配線用遮断機２０と各コンセント３０（又は３２）との間の配線を知ることができ、あらかじめ配線図などをもとに配線を調べる必要がなくなる。また、管理者は、配線を知ることで、配線に基づいたきめの細かい電力管理をすることができる。
【実施例３】
【００５３】
図１０は、実施例３における電力管理装置内機能モジュール３０６を例示する図である。
図１０に例示するように、電力管理装置内機能モジュール３０６は、図７の電力管理装置内機能モジュール２０６に機器推定部３４２及びパターンＤＢ３４４を追加し、第２の記録ＤＢ２２８及び表示部２３０を第３の記録ＤＢ３２８及び表示部３３０にそれぞれ置換した構成となっている。
なお、本図に示される各構成のうち、図７に示された構成と実質的に同一のものには同一の符号が付されている。
【００５４】
機器推定部３４２は、記録ＤＢ３２８に格納されるアダプタ５０（又は５２）における消費電力のパターンと、パターンＤＢ３４４に格納される各機器に対する消費電力のパターンとを比較し、それぞれのパターンの類似度からアダプタ５０（又は５２）が何の機器に接続されているか推定する。そして、推定した機器の名前を記録ＤＢ３２８に書き込む。
なお、消費電力のパターンの類似度を算出する方法としては、例えば、各時間におけるそれぞれの消費電力の差分の絶対値を求め、１日におけるこの差分の絶対値の平均を求め、この平均値を類似度とするものがある。つまり、この平均値は、小さいほど、より類似していることを表す。
また、機器推定部３４２は、記録ＤＢ３２８に格納されるアダプタ５０（又は５２）における消費電力のパターンと、機器の仕様によって定まる最大及び最小の消費電力とをさらに比較することで、最大及び最小の消費電力の範囲外となる機器を推定対象から除外することができる。
【００５５】
記録ＤＢ３２８は、図１１に例示するように、図８の記録ＤＢ２２８にアダプタ５０（又は５２）に接続される機器の名前を示す機器名を追加したものである。この機器名の欄に、機器推定部３４２は、推定した機器の名前を書き込む。
【００５６】
表示部３３０は、記録ＤＢ３２８の機器名の欄の内容に従って、装置ＩＤに対する機器名を表示する。
【００５７】
パターンＤＢ３４４は、電力管理装置４０が備えるＲＡＭ(Random Access Memory)、ハードディスク、又はフラッシュメモリなどの記憶媒体に格納され、図１２に例示するように、機器名と、１日の各時間ごとの消費電力のパターンとを互いに関連付けた情報を有する。
なお、パターンＤＢ３４４は、管理者によってあらかじめ設定登録される。スケジュールＤＢ３４４の設定登録の手段は、特に限定せず、例えば、電力管理装置４０上で設定登録させてもよいし、設定登録されたパターンＤＢ３４４を外部から記憶媒体又はネットワークを介して取り込ませるなどしてもよい。
【００５８】
以上で説明した構成及び動作によって、管理者は、アダプタ５０（又は５２）に接続されている機器が何であるか電力管理装置４０の表示を見るだけで知ることができる。例えば、全ての照明器具を消費電力の大きい蛍光灯器具から消費電力の小さいＬＥＤ（Light Emitting Diode）照明器具に交換する場合、管理者は、電力管理装置４０の表示を見ることで、全ての照明器具がＬＥＤ照明器具に交換されたか容易に確認することができ、交換忘れをなくすことができる。
また、管理者は、アダプタ５０（又は５２）に接続されている機器に応じた電力管理をすることができる。
【実施例４】
【００５９】
上記までの実施例において説明したアダプタ５０（又は５２）は、コンセント３０又は照明用コンセント３２を介して電力線９０から電力供給を受けて動作したが、電力線９０から電力供給を受けられない場合、電力源を筐体内に備える電池に切り替えて動作してもよい。
これによって、例えば、配線用遮断器２０での電力供給がＯＦＦになった場合、又は電力線９０の断線によって電力供給がなくなった場合など、アダプタ５０（又は５２）は、電池を電力源にして電力供給がなくなった事を電力管理装置４０に送信することができる。
なお、この場合、アダプタ５０（又は５２）は、送信に、電灯線通信を使用できないので、有線又は無線のＩＰネットワークを使用する。
【符号の説明】
【００６０】
１・・・電力管理システム
１０・・・分電盤
２０・・・配線用遮断器
３０・・・コンセント
３２・・・照明用コンセント
４０・・・電力管理装置
５０・・・アダプタ
５２・・・照明用アダプタ
６０・・・家電機器
６２・・・照明器具
１００・・・分電盤内機能モジュール
１０２・・・配線用遮断器内機能モジュール
１０４・・・アダプタ内機能モジュール
１０６・・・電力管理装置内機能モジュール
１１２・・・通信部（分電盤内）
１１４・・・電力計測部（配線用遮断器内）
１１６・・・電力遮断制御部（配線用遮断器内）
１１８・・・通信部（アダプタ内）
１２０・・・電力計測部（アダプタ内）
１２２・・・電力遮断制御部（アダプタ内）
１２４・・・通信部（電力管理装置内）
１２６・・・記録部
１２８・・・記録ＤＢ
１３０・・・表示部
１３２・・・入力部
１３４・・・制御部
１３６・・・スケジュール制御部
１３８・・・スケジュールＤＢ
２００・・・電力管理装置４０の表示画面
２０６・・・電力管理装置内機能モジュール（実施例２）
２２８・・・記録ＤＢ（実施例２）
２３０・・・表示部（実施例２）
２４０・・・配線推定部
３０６・・・電力管理装置内機能モジュール（実施例３）
３２８・・・記録ＤＢ（実施例３）
３３０・・・表示部（実施例３）
３４２・・・機器推定部
３４４・・・パターンＤＢ
【図１】
2010213411.tif 000003
【図２】
2010213411.tif 000004
【図３】
2010213411.tif 000005
【図４】
2010213411.tif 000006
【図５】
2010213411.tif 000007
【図６】
2010213411.tif 000008
【図７】
2010213411.tif 000009
【図８】
2010213411.tif 000010
【図９】
2010213411.tif 000011
【図１０】
2010213411.tif 000012
【図１１】
2010213411.tif 000013
【図１２】
2010213411.tif 000014